(57)【要約】【課題】簡易な構成により、外来サージのような外部エネルギーを抑制し、光源点灯装置の故障を防ぐサージ抑制回路を提供する。【解決手段】サージ抑制回路部１１１−１は、第一の放電部ＬＳ（１）を備える。第一の放電部ＬＳ（１）は、接続パターン１６１Ｃに形成され、接続パターン１６１Ｃから突起する突起形状をなす第一のランドＬ（１）と、アースパターン１６１Ｅのうちの第一のランドＬ（１）に対向する位置に形成され、アースパターン１６１Ｅから第一のランドＬ（１）に向かって突起する突起形状をなし、突起形状の頂部１２が第一のランドＬ（１）の突起形状の頂部１１と所定のギャップＧ（１）を隔てて存在する第二のランドＬ（２）とを備える。【選択図】図３
2013145733.tif 000002
【特許請求の範囲】
【請求項１】
交流電源の第一極に接続する第一極パターンと、前記交流電源の第二極に接続する第二極パターンと、アースに接続するアースパターンとを含む複数の配線パターンが形成された回路基板に実装されるサージ抑制回路において、
前記回路基板に形成され、素子どうしを電気的に接続する前記配線パターンであって他の配線パターンから電気的に孤立した配線パターンである接続パターンと、
一端が前記第一極パターンに接続し他端が前記接続パターンに接続する第一コンデンサと、
一端が前記接続パターンに接続し他端が前記第二極パターンに接続する第二コンデンサと、
一端が前記接続パターンに接続し他端が前記アースパターンに接続する第三コンデンサと、
サージ電圧が印加された際に前記サージ電圧によって生じる前記接続パターンと前記アースパターンとの電位差で放電することで、前記サージ電圧を前記アース側に吸収する第一放電部と
を備えたことを特徴とするサージ抑制回路。
【請求項２】
前記第一放電部は、
前記接続パターンに形成され、前記接続パターンから突起する突起形状をなす第一ランドと、
前記アースパターンのうちの前記第一ランドに対向する位置に形成され、前記アースパターンから前記第一ランドに向かって突起する突起形状をなし、前記突起形状の頂部が前記第一ランドの前記突起形状の頂部と所定の隙間を隔てて存在する第二ランドと
を備えたことを特徴とする請求項１記載のサージ抑制回路。
【請求項３】
前記サージ抑制回路は、さらに、
前記サージ電圧が印加された際に前記サージ電圧によって生じる前記第一極パターンと前記接続パターンとの電位差で放電する第二放電部と、
前記サージ電圧が印加された際に前記サージ電圧によって生じる前記接続パターンと前記第二極パターンとの電位差で放電する第三放電部と
を備えたことを特徴とする請求項１または２のいずれかに記載のサージ抑制回路。
【請求項４】
前記第二放電部は、
前記第一極パターンに形成され、前記第一極パターンから突起する突起形状をなす第三ランドと、
前記接続パターンのうちの前記第三ランドに対向する位置に形成され、前記接続パターンから前記第三ランドに向かって突起する突起形状をなし、前記突起形状の頂部が前記第三ランドの前記突起形状の頂部と所定の隙間を隔てて存在する第四ランドと
を備え、
前記第三放電部は、
前記第二極パターンに形成され、前記第二極パターンから突起する突起形状をなす第五ランドと、
前記接続パターンのうちの前記第五ランドに対向する位置に形成され、前記接続パターンから前記第五ランドに向かって突起する突起形状をなし、前記突起形状の頂部が前記第五ランドの前記突起形状の頂部と所定の隙間を隔てて存在する第六ランドと
を備えたことを特徴とする請求項３記載のサージ抑制回路。
【請求項５】
前記回路基板は、
前記第一極パターンと、前記第二極パターンと、前記接続パターンと、前記アースパターンとが、素子の実装側の面である表面とはんだ付けの面である裏面との両面に形成されると共に、前記裏面から前記表面を透過してみたときに、前記裏面と前記表面とに形成されたそれぞれの前記第一極パターンと、前記第二極パターンと、前記接続パターンと、前記アースパターンとが略重なる形状に形成され、
前記第一放電部と、前記第二放電部と、前記第三放電部とは、
前記裏面に形成され、
前記サージ抑制回路は、さらに、
前記サージ電圧が印加された際に前記サージ電圧によって生じる表面側の前記接続パターンと表面側の前記アースパターンとの電位差で放電する第四放電部と、
前記サージ電圧が印加された際に前記サージ電圧によって生じる表面側の前記第一極パターンと表面側の前記接続パターンとの電位差で放電する第五放電部と、
前記サージ電圧が印加された際に前記サージ電圧によって生じる表面側の前記接続パターンと表面側の前記第二極パターンとの電位差で放電する第六放電部と
を備えたことを特徴とする請求項３または４のいずれかに記載のサージ抑制回路。
【請求項６】
前記回路基板は、
ノイズを除去するノイズフィルタ回路部であって、少なくとも３つのコンデンサを備えるノイズフィルタ回路部が実装され、
前記第一コンデンサと、前記第二コンデンサと、前記第三コンデンサとは、
前記ノイズフィルタ回路部を構成する前記コンデンサであることを特徴とする請求項１〜５のいずれかに記載のサージ抑制回路。
【請求項７】
請求項１〜６のいずれかのサージ抑制回路を備えた光源点灯装置。
【請求項８】
交流電源の電圧を整流する整流回路部の負極側に接続する負側パターンと、アースに接続するアースパターンとを含む複数の配線パターンが形成された回路基板に実装されるサージ抑制回路において、
前記回路基板に形成され、素子どうしを電気的に接続する前記配線パターンであって他の配線パターンから電気的に孤立した配線パターンである接続パターンと、
一端が前記負側パターンに接続し他端が前記接続パターンに接続するコンデンサと、
一端が前記アースパターンに接続し他端が前記接続パターンに接続する抵抗と、
前記整流回路部の出力端における正極側に一端が接続され負極側に他端が接続された素子であって、サージ電圧が印加された際にサージ電圧を前記整流回路部の出力端における正極側から前記負側パターンにバイパスする素子である高電圧バイパス素子と、
サージ電圧が印加された際に前記サージ電圧によって生じる前記負側パターンと前記接続パターンとの電位差で放電することで、前記サージ電圧を前記アース側に吸収する放電部と
を備えたことを特徴とするサージ抑制回路。
【請求項９】
前記放電部は、
前記負側パターンに形成され、前記負側パターンから突起する突起形状をなす第一ランドと
前記接続パターンのうちの前記第一ランドに対向する位置に形成され、前記接続パターンから前記第一ランドに向かって突起する突起形状をなし、前記突起形状の頂部が前記第一ランドの前記突起形状の頂部と所定の隙間を隔てて存在する第二ランドと
を備えたことを特徴とする請求８記載のサージ抑制回路。
【請求項１０】
前記回路基板は、
ノイズを除去するノイズフィルタ回路部であって、少なくとも一つのコンデンサを備えるノイズフィルタ回路部が実装され、
前記コンデンサとは、
前記ノイズフィルタ回路部を構成する前記コンデンサであることを特徴とする請求項８または９のいずれかに記載のサージ抑制回路。
【請求項１１】
前記高電圧バイパス素子は、
バリスタであることを特徴とする請求項８〜１０のいずれかに記載のサージ抑制回路。
【請求項１２】
請求項８〜１１のいずれかのサージ抑制回路を備えた光源点灯装置。
【発明の詳細な説明】
【技術分野】
【０００１】
この発明は、回路基板に実装されてサージを抑制するサージ抑制回路及びサージ抑制回路を備えた点灯装置に関する。
【背景技術】
【０００２】
点灯装置に対して、回路動作に関係なく外来サージ（例えば、雷）のような外部エネルギーが加えられた場合、回路基板上のいずれかのランド同士の間や電子部品とケースとの間で放電が生じることがある。この放電箇所の近くに耐電圧の低い素子がある場合、この素子が故障する恐れがある。この対策として、特許文献１のように、酸化金属バリスタや放電現象を利用したガスアレスタ等のサージ吸収素子を使用するサージ抑制回路の提案がある。
【先行技術文献】
【特許文献】
【０００３】
【特許文献１】特開平７−３９１３６号公報、電子機器用電源装置
【発明の概要】
【発明が解決しようとする課題】
【０００４】
上記文特許文献１の構成は、サージ抑制回路のバリスタやアレスタ等のサージ吸収素子の実装スペースを多く確保する必要があり、今日要求されている小型化のニーズに合わない。また、部品点数が増えるため加工時間が増加する。
【０００５】
本発明は、簡易な回路及び構造により、部品点数を増やすことなく、外来サージのような外部エネルギーを抑制し、点灯装置の故障を防ぐサージ抑制回路の提供を目的とする。
【課題を解決するための手段】
【０００６】
この発明のサージ抑制回路は、交流電源の第一極に接続する第一極パターンと、前記交流電源の第二極に接続する第二極パターンと、アースに接続するアースパターンとを含む複数の配線パターンが形成された回路基板に実装されるサージ抑制回路において、前記回路基板に形成され、素子どうしを電気的に接続する前記配線パターンであって他の配線パターンから電気的に孤立した配線パターンである接続パターンと、一端が前記第一極パターンに接続し他端が前記接続パターンに接続する第一コンデンサと、一端が前記接続パターンに接続し他端が前記第二極パターンに接続する第二コンデンサと、一端が前記接続パターンに接続し他端が前記アースパターンに接続する第三コンデンサと、サージ電圧が印加された際に前記サージ電圧によって生じる前記接続パターンと前記アースパターンとの電位差で放電することで、前記サージ電圧を前記アース側に吸収する第一放電部とを備えたことを特徴とする。
【発明の効果】
【０００７】
本発明によれば、簡易な構成により、外来サージのような外部エネルギーを抑制し、光源点灯装置の故障を防ぐサージ抑制回路を提供できる。
【図面の簡単な説明】
【０００８】
【図１】実施の形態１の点灯装置１０１の回路図。
【図２】実施の形態１の点灯装置１０１の分解組立斜視図。
【図３】実施の形態１の回路基板の模式的なパターン形状を示す平面図。
【図４】実施の形態１の外来サージ吸収経路を示す回路図。
【図５】実施の形態２の点灯装置１０２の回路図。
【図６】実施の形態２の回路基板のパターン形状を示す平面図。
【図７】実施の形態２の外来サージ吸収経路（大サージ電圧）を示す回路図。
【図８】実施の形態２の外来サージ吸収経路（小サージ電圧）を示す回路図。
【図９】実施の形態３の回路基板の模式的なパターン形状を示す平面図。
【図１０】実施の形態３の回路基板の模式的なパターン形状を示す別の平面図。
【図１１】実施の形態４の点灯装置１０４の回路図。
【図１２】実施の形態４の回路基板の模式的なパターン形状を示す平面図。
【図１３】実施の形態４の外来サージ吸収経路を示す回路図。
【発明を実施するための形態】
【０００９】
実施の形態１．
図１〜図４を用いて実施の形態１の点灯装置１０１を説明する。図１は、点灯装置１０１の回路図である。図２は、点灯装置１０１で分解組立斜視図ある。図３は、回路基板１６０のパターン形状である。図４は、外来サージ吸収経路である。なお、図３においてコンデンサ記号を破線で示しているのは以下の理由である。図３の回路基板１６０の面は、部品（電子素子）が実装される部品面と、はんだ面とのうち、はんだ面を想定しておりはんだ面からは実際の部品が見えないため、コンデンサ記号を破線で示した。なお後述する図９（２）は、部品面であるのでコンデンサ記号を実線で示した。なお、コンデンサのパターンへの接続箇所１６２を、白丸（６か所）で示した。
【００１０】
（点灯装置１０１の構成）
図１に示すように、点灯装置１０１（光源点灯装置）は、ノイズフィルタ回路部１１０、商用交流電源１０を全波整流する整流回路部１２０、光源１４０を点灯させる点灯回路部１３０を備える。ノイズフィルタ回路部１１０は、点灯回路部１３０から発生したノイズを除去する。ノイズフィルタ回路部１１０は、その一部にサージ抑制回路部１１１−１を有する。
【００１１】
（サージ抑制回路部１１１−１）
図１のサージ抑制回路部１１１−１は、コンデンサＣ（１）、コンデンサＣ（２）、コンデンサＣ（３）、及びギャップＧ（１）を形成する第一のランドＬ（１）と第二のランドＬ（２）を備えている。
【００１２】
（回路基板１６０）
また、図２に示すように、点灯装置１０１は、上記の各回路部を構成する素子を実装する回路基板１６０と、回路基板１６０を収納するケース１７０ａ，１７０ｂと、回路基板１６０とケース１７０ａ、１７０ｂとの間を絶縁する絶縁板１８０ａ，１８０ｂを備える。
【００１３】
（ノイズフィルタ回路部１１０）
図１を用いて、ノイズフィルタ回路部１１０について説明する。ノイズフィルタ回路部１１０は、コンデンサＣ（０）、ラインフィルタＬ１、コンデンサＣ（１）、コンデンサＣ（２）及びコンデンサＣ（３）を備える。
（１）コンデンサＣ（０）は、商用交流電源１０の第一極Ｈ側と、第二極Ｎ側とに接続する。
（２）ラインフィルタＬ１は、商用交流電源１０の第一極Ｈ側及び第二極Ｎ側にそれぞれ直列に接続する。ラインフィルタＬ１は、電源に混入する高周波をカットするフィルタである。
（３）コンデンサＣ（１）とコンデンサＣ（２）とは直列接続を構成し、この直列接続におけるコンデンサＣ（１）の一端が第一極Ｈ側に接続し、コンデンサＣ（２）の一端が第二極Ｎ側に接続する。
（４）コンデンサＣ（３）は、一端がコンデンサＣ（１）とコンデンサＣ（２）との接続部１１３に接続し、他端がアース１１２に接続する。
【００１４】
（配線パターン）
また、図３のように、回路基板１６０には、商用交流電源１０の第一極Ｈ側に接続する第一極パターン１６１Ｈと、商用交流電源１０の第二極Ｎ側に接続する第二極パターン１６１Ｎと、アース１１２に接続するアースパターン１６１Ｅと、を含む複数の配線パターンが形成されている。回路基板１６０には、サージ抑制回路部１１１−１が実装される。また、回路基板１６０には、素子どうしを電気的に接続する配線パターンであって他の配線パターンから電気的に孤立した配線パターンである接続パターン１６１Ｃが形成されている。コンデンサＣ（１）は、一端が第一極パターン１６１Ｈに接続し他端が接続パターン１６１Ｃに接続する。回路基板１６０では、コンデンサＣ（２）は、一端が接続パターン１６１Ｃに接続し他端が第二極パターン１６１Ｎに接続する。コンデンサＣ（３）は、一端が接続パターン１６１Ｃに接続し他端がアースパターン１６１Ｅに接続する。
【００１５】
（ランド）
図３に示すように、回路基板１６０は、第一のランドＬ（１）と第二のランドＬ（２）との組を備えた放電部である第一の放電部ＬＳ（１）を備えている。第一の放電部ＬＳ（１）は、後述するように、サージ電圧が印加された際にサージ電圧によって生じる接続パターン１６１Ｃとアースパターン１６１Ｅとの電位差で放電することで、サージ電圧をアース１１２側に吸収する。なお第二の放電部ＬＳ（２）、第三の放電部ＬＳ（３）は実施の形態２で登場する。第一のランドＬ（１）及び第二のランドＬ（２）は、コンデンサＣ（３）の電極間となる接続パターン１６１Ｃと、アースパターン１６１Ｅとに形成されている。第一のランドＬ（１）は接続パターン１６１Ｃに形成され、第２二のランドＬ（２）は、アースパターン１６１Ｅに形成されている。第一のランドＬ（１）は、接続パターン１６１Ｃから突起する突起形状をなしている。図３において、第一のランドＬ（１）は、頂部１１を頂点とする、円錐、四角錐などの例えば略錐形状であり、放電を生じさせるため突起形状の先端（頂部１１）は尖っている方がよい。図３では、円錐が左側（第二のランドＬ（２）側）に向くような形状である。第二のランドＬ（２）は、アースパターン１６１Ｅのうちの第一のランドＬ（１）に対向する位置に形成され、アースパターン１６１Ｅから第一のランドＬ（１）に向かって突起する突起形状をなす。第二のランドＬ（２）の突起形状の頂部１２と、第一のランドＬ（１）の突起形状の頂部１１とは、所定のギャップＧ（１）（隙間）を隔てて存在する。このギャップＧ（１）はサージ電圧印加の際の放電発生に関係するが、この寸法については後述する。第二のランドＬ（２）の突起形状は、第一のランドＬ（１）と同様である。図３は平面の図示であるが、第一のランドＬ（１）と第二のランドＬ（２）とは、例えば円錐形状どうしが向かい合ったような状態である。
【００１６】
（ギャップＧ（１））
第一のランドＬ（１）及び第二のランドＬ（２）は、回路基板１６０におけるレジストを剥がして、はんだを付着させたパターンからなる。ギャップＧ（１）は、ある一定以上の電圧が印加されると放電する。図３の形状のように、対向する箇所が鋭角になっているほど、一般的には放電しやすいことが知られているため、第一の放電部ＬＳ（１）で確実に放電させるには、頂部１１、１２は鋭角な形状が好ましい。また、ギャップＧ（１）の距離（図３の寸法Ｇ（１））は、コンデンサＣ（１）及びコンデンサＣ（２）の電極間距離である図３のＡ部及びＢ部の距離よりも短くすることで、確実にギャップＧ（１）で放電させることが可能になる。
【００１７】
（サージ吸収経路３１、３２）
図４は、商用交流電源１０のＨ側とアース間に外来サージ電圧が印加した場合のサージ電圧の吸収経路３１を示す。実施の形態１のサージ抑制回路部１１１−１は、商用交流電源１０のＨ側とアース間に外来サージ電圧が印加した場合、図４に示すように、
「Ｈ側→ラインフィルタＬ１→コンデンサＣ（１）→ギャップＧ（１）→アース１１２」の吸収経路３１（実線）である。また図４には、商用交流電源１０Ｈ側とアース間に外来サージが印加された場合の吸収経路３２（点線）を示した。商用交流電源１０のＮ側とアース１１２と間に外来サージが印加された場合の吸収経路３２は、
「Ｎ側→ラインフィルタＬ１→コンデンサＣ（２）→ギャップＧ（１）→アース１１２」である。このように、外来サージを吸収し、整流回路部１２０以降の回路部に発生する電圧を抑制することが出来る。
【００１８】
（サージ電圧）
一般的に略１ｋＶで放電させたい場合、ギャップＧ（１）は１ｍｍ以下であれば放電すると考えられる。よって、外来サージ６ｋＶから吸収したい場合、コンデンサＣ（１）及びコンデンサＣ（２）の分圧された３ｋＶがコンデンサＣ（３）及びギャップＧ（１）に印加される。このため、前記のように１ｋＶで１ｍｍ以下と考えられるので、略３ｋＶであれギャップＧ（１）を３ｍｍ以下に設定することで放電し、吸収することができる。このように、点灯装置１０１に使用する部品の耐電圧から吸収可能な外来サージ電圧を決定し、ギャップＧ（１）の距離（寸法）を設定することが可能になる。
【００１９】
図１、図３に示したサージ抑制回路部１１１−１におけるコンデンサＣ（１）、コンデンサＣ（２）、コンデンサＣ（３）及び接続パターン１６１Ｃ、アースパターン１６１Ｅは、ノイズフィルタ回路部１１０にもともと使用されるものである。従ってこれらを兼用できるので、外来サージ抑制用として新たに部品（素子）を追加することなく、ギャップＧ（１）のみを設けることで、外来サージを抑制することが可能である。なお、ノイズフィルタ回路部１１０の設置は必須ではなく、ノイズフィルタ回路部１１０を設けない場合にはコンデンサＣ（１）、コンデンサＣ（２）、コンデンサＣ（３）及び接続パターン１６１Ｃ等をサージ抑制回路部１１１−１用として設ければよい。
【００２０】
実施の形態１のサージ抑制回路部１１１−１によれば、図４に示したように、外来サージが商用交流電源１０の第一極とアース間又は第二極とアース間に印加されると、コンデンサＣ（１）又はコンデンサＣ（２）を通過し、第一のランドＬ（１）と第二のランドＬ（２）との間で放電することで、外来サージを吸収する。よって、サージ抑制回路部１１１−１以降に配置される整流回路部等の回路部に発生する電圧を抑制して点灯装置の故障を防ぐことができる。また、簡易な構成でサージを吸収することができる。
【００２１】
実施の形態２．
図５〜図８を用いて実施の形態２の点灯装置１０２を説明する。図５は、点灯装置１０２の回路図である。図６は、回路基板１６０のパターン形状である。図７は、外来サージ吸収経路（大サージ電圧）である。図８は、外来サージ吸収経路（小サージ電圧）である。
【００２２】
図５に示すように、点灯装置１０２の回路構成は実施の形態１の点灯装置１０１と同一である。相違は、図５、図６に示すように、実施の形態１のサージ抑制回路部１１１−１に対し、実施の形態１のサージ抑制回路部１１１−２が、さらに、第二の放電部ＬＳ（２）、第三の放電部ＬＳ（３）を備える点である。第二の放電部ＬＳ（２）、第三の放電部ＬＳ（３）は、ランドの対（組）を備える。つまり、図６に示すように、サージ抑制回路部１１１−２は、第一の放電部ＬＳ（１）と、さらに、サージ電圧が印加された際にサージ電圧によって生じる第一極パターン１６１Ｈと接続パターン１６１Ｃとの電位差で放電する第二の放電部ＬＳ（２）と、サージ電圧が印加された際にサージ電圧によって生じる接続パターン１６１Ｃと第二極パターン１６１Ｎとの電位差で放電する第三の放電部ＬＳ（３）とを備えている。
【００２３】
（第二の放電部ＬＳ（２））
図６に示すように、回路基板１６０は、実施の形態１に対して、さらに、第三のランドＬ（３）と第四のランドＬ（４）との組を備えた第二の放電部ＬＳ（２）と、第五のランドＬ（５）と第六のランドＬ（６）との組を備えた第三の放電部ＬＳ（３）とを備えている。第二の放電部ＬＳ（２）及び第三の放電部ＬＳ（３）の構成は、実施の形態１で説明した第一の放電部ＬＳ（１）と同様の構成である。ランドの形状も同様である。ただしギャップＧ（２）、Ｇ（３）については前述のように、見込まれる電圧に応じて決定される。
【００２４】
図６を参照してサージ抑制回路部１１１−２を具体的に説明する。第二の放電部ＬＳ（２）の第三のランドＬ（３）及び第四のランドＬ（４）は、コンデンサＣ（１）の電極間となる第一極パターン１６１Ｈと、接続パターン１６１Ｃとにそれぞれ形成されている。第三の放電部ＬＳ（３）の第五のランドＬ（５）及び第六のランドＬ（６）は、コンデンサＣ（２）の電極間となる第二極パターン１６１Ｎと、接続パターン１６１Ｃとにそれぞれ形成されている。
【００２５】
図６のように、第二の放電部ＬＳ（２）の第三のランドＬ（３）は、第一極パターン１６１Ｈに形成され、第一極パターン１６１Ｈから突起する突起形状をなす。第二の放電部ＬＳ（２）の第四のランドＬ（４）は、接続パターン１６１Ｃのうちの第三のランドＬ（３）に対向する位置に形成され、接続パターン１６１Ｃから第三のランドＬ（３）の頂部１３に向かって突起する突起形状をなし、突起形状の頂部１４が第三のランドＬ（３）の突起形状の頂部１３と所定のギャップＧ（２）を隔てて存在する。同様に、第三の放電部ＬＳ（３）の第五のランドＬ（５）は、第二極パターン１６１Ｎに形成され、第二極パターン１６１Ｎから突起する突起形状をなす。第三の放電部ＬＳ（３）の第六のランドＬ（６）は、接続パターン１６１Ｃのうちの第五のランドＬ（５）に対向する位置に形成され、接続パターン１６１Ｃから第五のランドＬ（５）の頂部１５に向かって突起する突起形状をなし、突起形状の頂部１６が第五のランドＬ（５）の突起形状の頂部１５と所定のギャップＧ（３）を隔てて存在する。
【００２６】
実施の形態１の第一のランドＬ（１）、第二のランドＬ（２）と同様に、実施の形態２の第三のランドＬ（３）〜第六のランドＬ（６）も、レジストを剥がし、はんだを付着させたパターンからなる。
【００２７】
（ギャップ）
図６のギャップＧ（１）、ギャップＧ（２）及びギャップＧ（３）は、ある一定以上の電圧が印加されると放電する。図６の形状のように、対向する箇所（互いの頂部）が鋭角になっているほど、一般的には放電しやすくなるため、確実に放電させるには、それぞれの頂部は鋭角な形状が好ましいのは実施の形態１で述べた通りである。
【００２８】
図５のサージ抑制回路部１１１−２は、ノイズフィルタ回路部１１０の一部であるコンデンサＣ（１）、コンデンサＣ（２）、コンデンサＣ（３）、ギャップＧ（１）をつくる第一のランドＬ（１）と第二のランドＬ（２）、ギャップＧ（２）をつくる第三のランドＬ（３）と第四のランドＬ（４）、ギャップＧ（３）をつくる第五のランドＬ（５）と第六のランドＬ（６）を備える。
【００２９】
（大サージ電圧の場合）
外来サージを吸収する量は、コンデンサＣ（１）、コンデンサＣ（２）及びコンデンサＣ（３）の容量で決定する。実施の形態１では触れなかったが、実施の形態１の場合も同様である。コンデンサの容量が大きいほど、アース１１２に流すことが出来る電流量が増え、外来サージを吸収して整流回路部１２０以降の回路部に発生する電圧を抑制することが出来る。しかしながら、大きな外来サージを吸収する必要がある屋外で使用されるような点灯装置の場合、実施の形態１のようにギャップＧ（１）のみではコンデンサの容量にも限界がくる。このため、ギャップＧ（２）及びギャップＧ（３）を設けることで、図７に示すように、例えば、商用交流電源１０のＨ側とアース１１２間に大きい外来サージ電圧が印加した場合、
「Ｈ側→ラインフィルタＬ１→ギャップＧ（２）→ギャップＧ（１）→アース１１２」
の吸収経路３３（実線）で外来サージを吸収して整流回路部１２０以降の回路部に発生する電圧を抑制することが出来る。また、商用交流電源１０のＮ側とアース１１２間に大きい外来サージ電圧が印加した場合、
「Ｎ側→ラインフィルタＬ１→ギャップＧ（３）→ギャップＧ（１）→アース１１２」
の吸収経路３４（点線）で外来サージを吸収して整流回路部１２０以降の回路部に発生する電圧を抑制することが出来る。
【００３０】
（小サージ電圧の場合）
また、コンデンサＣ（１）、コンデンサＣ（２）及びコンデンサＣ（３）の容量を大きくすると、通常の動作時に点灯装置１０２からアースに漏洩する電流が増加する。このため、コンデンサＣ（３）の容量は、コンデンサＣ（１）及びコンデンサＣ（２）の容量に比べて小さくし、漏洩電流を抑制する必要がある。
つまり、
Ｃ（３）＜Ｃ（１）、Ｃ（２）
とする。
【００３１】
一方、コンデンサＣ（３）を小さくすると外来サージを吸収する量もコンデンサＣ（３）の容量に依存してしまう。よって、ギャップＧ（１）は、ギャップＧ（２）及びギャップＧ（３）に比べて距離を短くする必要がある。
つまり、
Ｇ（１）＜Ｇ（２）、Ｇ（３）
である。
【００３２】
上記の通り、コンデンサＣ（３）の容量はコンデンサＣ（１）及びコンデンサＣ（２）の容量に比べて小さく設定し、かつ、ギャップＧ（１）の距離は、ギャップＧ（２）及びギャップＧ（３）の距離に比べて小さく設定する。つまり、
「Ｃ（３）＜Ｃ（１）、Ｃ（２）」かつ「Ｇ（１）＜Ｇ（２）、Ｇ（３）」
とする。こうした設定の場合、ギャップＧ（２）及びギャップＧ（３）が放電しない程度の小さな外来サージ電圧が商用交流電源１０のＨ側とアース間に印加した場合、図８のように、
「Ｈ側→ラインフィルタＬ１→Ｃ（１）→ギャップＧ（１）→アース１１２」
の吸収経路３５（実線）となる。また、商用交流電源１０のＮ側とアース間に外来サージが印加された場合は、
「Ｎ側→ラインフィルタＬ１→Ｃ（２）→ギャップＧ（１）→アース１１２」
の吸収経路３６（点線）で、外来サージ電圧を確実に吸収することが可能になる。
【００３３】
このように、実施の形態２の点灯装置１０２はサージ抑制回路部１１１−２を備えたので、大きな外来サージから小さな外来サージまでをそれぞれの吸収経路で十分に吸収し、整流回路部１２０以降の回路部に発生する電圧を抑制することが出来る。また、コンデンサについて、上記の「Ｃ（３）＜Ｃ（１）、Ｃ（２）」という設定により、通常の動作時に点灯装置１０２からアースに漏洩する電流も抑制することが可能になる。
【００３４】
実施の形態３．
図９、図１０を用いて実施の形態３の点灯装置１０３（図示していない）を説明する。図９は、「実施の形態３のサージ抑制回路部１１１−５」（図示していない）が実装される回路基板１６０のパターン形状である。
図９（１）は、回路基板１６０の、はんだ面側（裏面）を模式的示す。図９（２）は、回路基板１６０の、部品面側（表面）を模式的示す図であり、部品面側からはんだ面側を透過みた仮想的な図である。図９（２）は、図９（１）との対応の点でわかりやすいため記載した。図１０は、実際の部品面を示し、図９（１）と左右対称である。実施の形態３の回路基板１６０は、両面にパターンを備え、図９（１）に示す通り、はんだ面側は、実施の形態２と構成及び放電経路が略同一である。また、図９（２）に示す通り、部品面側にもパターンがある。
【００３５】
図９の回路基板１６０は、第一極パターン１６１Ｈと、第二極パターン１６１Ｎと、接続パターン１６１Ｃと、アースパターン１６１Ｅとが、部品面（表面）とはんだ面（裏面）との両面に形成される。回路基板１６０は、図９（２）に示すように、部品面からはんだ面を透過してみたときに、部品面とはんだ面とに形成されたそれぞれの第一極パターン１６１Ｈと、第二極パターン１６１Ｎと、接続パターン１６１Ｃと、アースパターン１６１Ｅとが略重なる略同一の形状に形成されている。
【００３６】
図９（２）、図１０に示すように、部品面側のギャップＧ（４）、ギャップＧ（５）及びギャップＧ（６）は、ギャップＧ（１）、ギャップＧ（２）及びギャップＧ（３）の同極のパターンであり、かつ、ギャップＧ（１）とギャップＧ（４）、ギャップＧ（２）とギャップＧ（５）、ギャップＧ（３）とギャップＧ（６）はそれぞれ、略同一の寸法である。
【００３７】
部品面側の第七のランドＬ（７）〜第十二のランドＬ（１２）は、はんだ面側のそれぞれ第一のランドＬ（１）〜第６のランドＬ（６）に対応し、そして、ギャップＧ（４）〜ギャップＧ（６）は、ギャップＧ（１）〜ギャップＧ（３）に対応する。第七のランドＬ（７）〜第十二のランドＬ（１２）及びギャップＧ（４）〜ギャップＧ（６）の構成、形状等は、実施の形態２の第一のランドＬ（１）〜第六のランドＬ（６）及びギャップＧ（１）〜ギャップＧ（３）と同様である。ギャップを形成するランドは、レジストを剥がし、はんだを付着させたパターンからなり、ある一定以上の電圧が印加されると放電する。
【００３８】
図９（２）、図１０において、第七のランドＬ（７）と第ハのランドＬ（８）とは、サージ電圧が印加された際にサージ電圧によって生じる部品面側の接続パターン１６１Ｃと部品面側のアースパターン１６１Ｅとの電位差で放電する第四の放電部ＬＳ（４）を構成する。また、第九のランドＬ（９）と第十のランドＬ（１０）とは、サージ電圧が印加された際にサージ電圧によって生じる部品面側の第一極パターン１６１Ｈと部品面側の接続パターン１６１Ｃとの電位差で放電する第五の放電部ＬＳ（５）を構成する。また、第十一のランドＬ（１１）と第十のランドＬ（１２）とは、サージ電圧が印加された際にサージ電圧によって生じる部品面側の第二極パターン１６１Ｎと部品面側の接続パターン１６１Ｃとの電位差で放電する第六の放電部ＬＳ（６）を構成する。
【００３９】
本実施の形態３は、例えば、ギャップＧ（１）で複数回放電して、ランドが飛散した場合において、ギャップＧ（１）の変わりになるギャップＧ（４）で放電して外来サージを抑制することが可能である。また、放電がギャップＧ（１）とギャップＧ（４）との両方で同時に起これば、各ランドに対するストレスを軽減することが可能であり、複数回の放電によるランドの飛散を防ぐことが可能になる。つまり本実施の形態３は、はんだ面側に第一の放電部〜第三の放電部を備え、部品面側に第四の放電部〜第六の放電部を備えたので、各放電部の外来サージに対するストレスを軽減できる。
【００４０】
以上の実施の形態１〜３では、コンデンサＣ（１），Ｃ（２），Ｃ（３）は単一のコンデンサとして説明したが、例えば、コンデンサＣ（１）は複数個のコンデンサで実現されても構わない。コンデンサＣ（２），Ｃ（３）も同様である。
【００４１】
実施の形態４．
実施の形態４のサージ抑制回路部４０を、図１１〜図１３を用いて説明する。図１１は、実施の形態４の点灯装置１０４（光源点灯装置）の回路図である。なお実施の形態４の点灯装置１０４の分解組立斜視図は、図２に示した実施の形態１の点灯装置１０１と同様である。図１２は、点灯装置１０４に使用する回路基板１６０の模式的なパターン形状の平面図である。図１３は、外来サージ吸収経路を図１１に記入した図である。なお、実施の形態１と同一あるいは相当する機能を有する要素には同じ符号を付している。
【００４２】
（点灯装置１０４の構成）
図１１に示すように、点灯装置１０４は、ノイズフィルタ回路部１１０、商用交流電源１０を全波整流する整流回路部１２０、光源１４０を点灯させる点灯回路部１３０を備える。ノイズフィルタ回路部１１０は、点灯回路部１３０から発生したノイズを除去する。ノイズフィルタ回路部１１０は、サージ抑制回路部４０を有する。サージ抑制回路部４０は、後述するサージ抑制回路部４０−１と、サージ抑制回路部４０−２とを備える。サージ抑制回路部４０−２は、整流回路部１２０の正側と負側間に接続したバリスタＺ（４０）からなる。バリスタＺ（４０）は、整流回路部１２０の出力端における正極側に一端が接続され負極側に他端が接続されている。バリスタＺ（４０）は、サージ電圧が印加された際にサージ電圧を整流回路部１２０の出力端における正極側から負側パターン１６４Ｎにバイパスする。
【００４３】
（サージ抑制回路部４０）
図１１のサージ抑制回路部４０は、サージ抑制回路部４０−１と、サージ抑制回路部４０−２とを備える。サージ抑制回路部４０−１は、コンデンサＣ（４０）と、抵抗Ｒ（４０）と、及びギャップＧ（４０）を形成する第一のランドＬ（４１）と第二のランドＬ（４２）とを備える。サージ抑制回路部４０−２は、バリスタＺ１を備える。
【００４４】
（回路基板１６０）
実施の形態１の図２と同様に、点灯装置１０４は、それぞれの回路部を構成する素子を実装した回路基板１６０と、回路基板１６０を収納するケース１７０ａ，１７０ｂと、回路基板１６０とケース１７０ａ，１７０ｂとを絶縁する絶縁板１８０ａ，１８０ｂを備える。
【００４５】
（ノイズフィルタ回路部１１０）
図１１を用いて、ノイズフィルタ回路部１１０について説明する。ノイズフィルタ回路部１１０は、コンデンサＣ（０）、ラインフィルタＬ１、コンデンサＣ（４０）、及び抵抗Ｒ（４０）を備える。
（１）コンデンサＣ（０）は、商用交流電源の第一極Ｈ側と第二極Ｎ側とに接続する。
（２）ラインフィルタＬ１は、商用交流電源の第一極Ｈ側及び第二極Ｎ側にそれぞれ直列に接続する。ラインフィルタＬ１は、電源に混入する高周波をカットするフィルタである。
（３）コンデンサＣ（４０）と抵抗Ｒ（４０）は直列接続を構成し、この直列接続におけるコンデンサＣ（４０）の一端が整流回路部１２０の負側に接続し、抵抗Ｒ（４０）の一端がアース１１２に接続する。
【００４６】
（配線パターン）
図１２のように、回路基板１６０には、アース１１２に接続するアースパターン１６１Ｅと、整流回路部１２０の負側に接続する負側パターン１６４Ｎと、素子どうしを電気的に接続する配線パターンであって、他の配線パターンから電気的に孤立した配線パターンである接続パターン１６４Ｃが形成されている。コンデンサＣ（４０）は一端が負側パターン１６４Ｎに接続し他端が接続パターン１６４Ｃに接続する。抵抗Ｒ（４０）は、一端がアースパターン１６１Ｅに接続し他端が接続パターン１６４Ｃに接続する。
【００４７】
（ランド）
図１２に示すように、回路基板１６０は、第一のランドＬ（４１）と第二のランドＬ（４２）との組を備えた放電部ＬＳ（４０）であるギャップＧ（４０）を備えている。ギャップＧ（４０）は、サージ電圧が印加された際にサージ電圧によって生じる接続パターン１６４Ｃと、整流回路部１２０の負側パターン１６４Ｎとの電位差で放電することで、サージ電圧を抵抗Ｒ（４０）を介してアース１１２に吸収する。第一のランドＬ（４１）及び第二のランドＬ（４２）は、コンデンサＣ（４０）の電極間となる整流回路部２の負側パターン１６４Ｎと、接続パターン１６４Ｃとに形成されている。第一のランドＬ（４１）は、整流回路部１２０の負側パターン１６４Ｎに形成される。第一のランドＬ（４１）及び第二のランドＬ（４２）は、実施の形態１〜３で説明したランドと同様である。第二のランドＬ（４２）は、接続パターン１６４Ｃに形成される。これら第一のランドＬ（４１）及び第二のランドＬ（４２）は、実施の形態１〜３で説明したランドと同様であり、第一のランドＬ（４１）及び第二のランドＬ（４２）は、それぞれの頂部が対向するような形状からなり、所定の隙間（図１２のギャップＧ（４０））を隔てて配置する。第一のランドＬ（４１）及び第二のランドＬ（４２）は、回路基板１６０におけるレジストを剥がして、はんだを付着させたパターンからなる。ギャップＧ（４０）は、ある一定以上の電圧が印加されると放電する。図１２の形状のように、対向する箇所が鋭角になっているほど、一般的には放電しやすいことが知られているため、第一のギャップＧ（４０）で確実に放電させるには、頂部は鋭角な形状が好ましい。
【００４８】
（サージ吸収経路）
図１３は、商用交流電源のＨ側とアース１１２間に外来サージ電圧が印加した場合のサージ電圧の吸収経路を示す。本実施の形態４のサージ抑制回路部４０は、商用交流電源１０のＨ側とアース間に外来サージ電圧が印加した場合、図１３に示すように、「Ｈ側→ラインフィルタＬ１→整流回路部１２０のダイオードＤ１→バリスタＺ（４０）→ギャップＧ（４０）→抵抗Ｒ（４０）→アース１１２」の吸収経路（実線）である。また図１３には、商用交流電源Ｎ側とアース間に外来サージが印加された場合の吸収経路（点線）を示した。商用交流電源１０のＮ側とアース１１２間に外来サージが印加された場合の吸収経路は、「Ｎ側→ラインフィルタＬ１→整流回路部１２０のダイオードＤ２→バリスタＺ（４０）→ギャップＧ（４０）→抵抗Ｒ（４０）→アース１１２」である。このように、外来サージを吸収し、点灯回路部１３０以降の回路部に発生する電圧を抑制することが出来る。
【００４９】
なお、バリスタＺ（４０）は点灯回路部１３０以降にバリスタ電圧以上の過電圧を発生させず、整流回路部１２０の直後の放電経路を確保するために備える。また、抵抗Ｒ（４０）はギャップＧ（４０）の放電時に、アースに流れる過電流を抑制し、サージ吸収経路中にある整流回路部１２０の過電流故障を防止するために備える。
【００５０】
実施の形態４のサージ抑制回路部４０によれば、点灯回路部１３０以降に発生する電圧を抑制して点灯装置１０４の故障を防ぐことができる。また、ノイズフィルタ回路部１１０の一部を利用しているため、大幅な部品追加によるスペース確保が必要なく、簡易な構成でサージを吸収することができる。以上の実施の形態４では、コンデンサＣ（４０）は単一のコンデンサとして説明したが、例えば、コンデンサＣ（４０）は複数個のコンデンサで実現されても構わない。抵抗Ｒ（４０）についても同様であり、複数個の抵抗で実現されても構わない。
【００５１】
また以上に説明した実施の形態１〜４の内容は、整合する範囲において組み合わせて実施して良いことはもちろんである。
【符号の説明】
【００５２】
Ｃ（０），Ｃ（１），Ｃ（２），Ｃ（３）  コンデンサ、Ｇ（１），Ｇ（２），Ｇ（３）  ギャップ、Ｇ（４），Ｇ（５），Ｇ（６）  ギャップ、ＬＳ（１），ＬＳ（２），ＬＳ（３）  放電部、Ｌ（１），Ｌ（２），Ｌ（３），Ｌ（４），Ｌ（５），Ｌ（６）  ランド、Ｌ（７），Ｌ（８），Ｌ（９），Ｌ（１０），Ｌ（１１），Ｌ（１２）  ランド、Ｚ（４０）  バリスタ、Ｒ（４０）  抵抗、１０  商用交流電源、４０  サージ抑制回路部、１０１，１０２，１０３，１０４，１０５  点灯装置、１１０  ノイズフィルタ回路部、１１１−１，１１１−２，１１１−５  サージ抑制回路部、１１２  アース、１１３  接続部、１２０  整流回路部、１３０  点灯回路部、１４０  光源、１６０  回路基板、１６１Ｈ  第一極パターン、１６１Ｎ  第二極パターン、１６１Ｃ  接続パターン、１６１Ｅ  アースパターン、１６４Ｃ  接続パターン、１６４Ｎ  負側パターン、１７０ａ，１７０ｂ  ケース、１８０ａ，１８０ｂ  絶縁板。
【図１】
2013145733.tif 000003
【図２】
2013145733.tif 000004
【図３】
2013145733.tif 000005
【図４】
2013145733.tif 000006
【図５】
2013145733.tif 000007
【図６】
2013145733.tif 000008
【図７】
2013145733.tif 000009
【図８】
2013145733.tif 000010
【図９】
2013145733.tif 000011
【図１０】
2013145733.tif 000012
【図１１】
2013145733.tif 000013
【図１２】
2013145733.tif 000014
【図１３】
2013145733.tif 000015